(57)【要約】【課題】所望の用紙を，他の目的で使用されることを防止できる印刷装置を提供すること。【解決手段】プリンタ１００では，ＰＣ２００側にて例えば両面手動印刷を要求する際，表面用の通常の印刷ジョブを受け付け，その表面用の印刷ジョブに続いて裏面用のセキュア印刷ジョブを受け付ける。そして，プリンタ１００では，表面の印刷ジョブを実行した後，裏面のセキュア印刷ジョブのパスワード入力待ちとなる。パスワード入力後は，セキュア印刷ジョブで指定されたトレイ（指定トレイ）の利用を制限にする。そして，所望用紙を指定トレイにセットし直し，その所望用紙に印刷する。印刷後は，指定トレイの制限を解除する。【選択図】            図８
2010036516.tif 000002
【特許請求の範囲】
【請求項１】
用紙を給紙する給紙部を指定し，印刷を許可する開錠データが対応付けられた印刷ジョブ（特定印刷ジョブ）を受け付ける受付手段と，
開錠データを入力する入力手段と，
前記入力手段にて入力された開錠データによって印刷が許可された特定印刷ジョブで指定された給紙部から用紙を給紙し，当該特定印刷ジョブの画像を当該用紙に印刷する印刷手段と，
前記特定印刷ジョブが前記受付手段によって受け付けられている場合に，当該特定印刷ジョブで指定されている給紙部からの給紙を他の印刷ジョブから行うことを制限する制限手段とを備えることを特徴とする印刷装置。
【請求項２】
請求項１に記載する印刷装置において，
前記特定印刷ジョブは，先行の印刷ジョブ（先行ジョブ）と後続の印刷ジョブ（後続ジョブ）との２つの印刷ジョブを出力する手動両面印刷における後続ジョブであることを特徴とする印刷装置。
【請求項３】
請求項２に記載する印刷装置において，
手動両面印刷における先行ジョブにも開錠データが対応付けられていることを特徴とする印刷装置。
【請求項４】
請求項３に記載する印刷装置において，
手動両面印刷における先行ジョブおよび後続ジョブに対応付けられている開錠データは同一であることを特徴とする印刷装置。
【請求項５】
請求項１から請求項４のいずれか１つに記載する印刷装置において，
前記制限手段による制限対象とならない給紙部からの印刷ジョブは，印刷ジョブを受け付けて実行することを特徴とする印刷装置。
【請求項６】
請求項１から請求項４のいずれか１つに記載する印刷装置において，
前記特定印刷ジョブを受け付けてから少なくとも当該特定印刷ジョブに対応する開錠データが入力されるまでの間は，他の印刷ジョブを待機状態あるいは受け付け拒否状態とすることを特徴とする印刷装置。
【請求項７】
請求項１から請求項６のいずれか１つに記載する印刷装置において，
開錠データによって印刷が許可された特定印刷ジョブの印刷開始を指示する指示手段を備え，
前記特定印刷ジョブに対応する開錠データが入力されてから前記指示手段にて当該特定印刷ジョブの印刷開始が指示されるまでの間は，他の印刷ジョブを待機状態あるいは受け付け拒否状態とすることを特徴とする印刷装置。
【発明の詳細な説明】
【技術分野】
【０００１】
本発明は，所定の給紙部から給紙される用紙に画像を形成する印刷装置に関する。さらに詳細には，所望の用紙への印刷を確実に行う印刷装置に関するものである。
【背景技術】
【０００２】
従来から，両面印刷機能を有しない印刷装置では，手動で両面印刷を行う制御方法（いわゆる手動両面印刷）が提案されている。手動両面印刷では，一方の面を印刷した後，ユーザが用紙を裏返して再度用紙をセットし，他方の面を印刷することで両面印刷を実現する。このような手動両面印刷を実現する印刷装置としては，例えば特許文献１に開示された印刷制御装置がある。
【特許文献１】特開平１１−２０２７２号公報
【発明の開示】
【発明が解決しようとする課題】
【０００３】
従来の印刷装置では，次のような問題があった。すなわち，所望の用紙に印刷したい場合に，適正な印刷結果が得られないことがある。例えば，上記のような手動両面印刷においては，用紙の一方の面に画像を形成した後に，同用紙の他方の面に一方の面と対応付けられた画像を印刷する必要がある。つまり，所望の用紙（すなわち，対応する画像が一方の面に印刷された用紙）に印刷する必要があり，他のユーザに同用紙を使用されてしまうと，適正な印刷物が得られない。このような問題は，手動両面印刷に限るものではなく，例えば，特定の情報が表面に印刷された用紙に，その情報と関連付けられた情報を同用紙の表面に重ねて印刷する場合や，特殊あるいは専用の用紙を使用する場合などで生じる。
【０００４】
本発明は，前記した従来の印刷装置が有する問題点を解決するためになされたものである。すなわちその課題とするところは，所望の用紙を，他の目的で使用されることを防止できる印刷装置を提供することにある。
【課題を解決するための手段】
【０００５】
この課題の解決を目的としてなされた印刷装置は，用紙を給紙する給紙部を指定し，印刷を許可する開錠データが対応付けられた印刷ジョブ（特定印刷ジョブ）を受け付ける受付手段と，開錠データを入力する入力手段と，入力手段にて入力された開錠データによって印刷が許可された特定印刷ジョブで指定された給紙部から用紙を給紙し，当該特定印刷ジョブの画像を当該用紙に印刷する印刷手段と，特定印刷ジョブが受付手段によって受け付けられている場合に，当該特定印刷ジョブで指定されている給紙部からの給紙を他の印刷ジョブから行うことを制限する制限手段とを備えることを特徴としている。
【０００６】
本発明の印刷装置は，開錠データ（例えばパスワードやＩＤ番号）が対応付けられた特定印刷ジョブを受け付ける。そして，特定印刷ジョブを受け付けた際には，開錠データの入力によって印刷が許可された場合に印刷を行う。また，特定印刷ジョブには，給紙部が指定されている。そして，本発明の印刷装置は，特定印刷ジョブを受け付けている間，当該特定印刷ジョブで指定されている給紙部からの給紙を，他の印刷ジョブから行うことを制限している。
【０００７】
すなわち，本発明の印刷装置では，特定印刷ジョブの受け付け中において，他の印刷ジョブの特定の給紙部からの利用を制限する。これにより，他の印刷ジョブは，同給紙部にセットされている用紙の利用が制限される。また，特定印刷ジョブには，開錠データが付いている。そのため，特定印刷ジョブを要求したユーザが印刷装置に到達するまでに時間がかかったとしても，他のユーザによる当該特定印刷ジョブの続行を回避できる。よって，給紙部にセットした所望の用紙を他人に利用されることを回避できる。
【０００８】
また，本発明の特定印刷ジョブは，先行の印刷ジョブ（先行ジョブ）と後続の印刷ジョブ（後続ジョブ）との２つの印刷ジョブを出力する手動両面印刷における後続ジョブであるとよりよい。すなわち，特定印刷ジョブを手動両面印刷の後続ジョブに適用することで，所望の用紙である先行ジョブの印刷物について他の目的での使用を回避できる。従って，手動両面印刷の際に適切な両面印刷物が得られる。
【０００９】
また，上記の印刷装置は，手動両面印刷における先行ジョブにも開錠データが対応付けされているとよい。すなわち，表面にも開錠データが対応付けされていることで，表裏両面ともセキュリティを高めることができる。
【００１０】
また，上記の印刷装置は，手動両面印刷における先行ジョブおよび後続ジョブに対応付けられている開錠データが同一であるとよりよい。すなわち，開錠データを共通とすることで，ユーザにとって開錠データの取り扱いが容易になる。
【００１１】
また，本発明の印刷装置は，制限手段による制限対象とならない給紙部からの印刷ジョブは，印刷ジョブを受け付けて実行するとよりよい。すなわち，制限対象とならない給紙部まで印刷を制限すると，他のユーザに不便を強いる。そこで，制限対象とならない給紙部からの印刷を実行可能にすることで，特定印刷ジョブを出力したユーザに印刷装置が専有される状態を回避できる。
【００１２】
また，本発明の印刷装置は，特定印刷ジョブを受け付けてから少なくとも当該特定印刷ジョブに対応する開錠データが入力されるまでの間は，他の印刷ジョブを待機状態あるいは受け付け拒否状態とするとよりよい。例えば，手動両面印刷の途中（具体的には，先行ジョブと後続ジョブとの間）で他の印刷ジョブが実行されると，特定印刷ジョブを要求したユーザの困惑を招く。例えば，後続ジョブの実行前に他のジョブを追い越し印刷すると，どの印刷物が手動両面印刷の対象なのかが判り難い。また，後続ジョブ前の他のジョブが長時間実行することになると，後続ジョブの実行を待たされる。そこで，開錠データによる開錠前までの期間は他の印刷ジョブを待機状態にするあるいは受け付けを拒否することで，それらを回避する。
【００１３】
また，本発明の印刷装置は，開錠データによって印刷が許可された特定印刷ジョブの印刷開始を指示する指示手段を備え，特定印刷ジョブに対応する開錠データが入力されてから指示手段にて当該特定印刷ジョブの印刷開始が指示されるまでの間は，他の印刷ジョブを待機状態あるいは受け付け拒否状態とするとよりよい。
【発明の効果】
【００１４】
本発明によれば，所望の用紙を，他の目的で使用されることを防止できる印刷装置が実現している。
【発明を実施するための最良の形態】
【００１５】
以下，本発明にかかる画像読取装置を具体化した実施の形態について，添付図面を参照しつつ詳細に説明する。本形態は，手動両面印刷を実現する電子写真方式のプリンタに本発明を適用したものである。
【００１６】
［第１の形態］
［プリンタの全体構成］
第１の形態のプリンタ１００は，図１に示すように，用紙に画像を印刷する画像形成部１０と，原稿の画像を読み取るスキャナ部２０とを備えている。また，スキャナ部２０の前面側には，液晶ディスプレイからなる表示部４１と，スタートキー，ストップキー，テンキー等から構成されるボタン群４２とを備えた操作パネル４０が設けられ，この操作パネル４０により動作状況の表示やユーザによる入力操作が可能になっている。また，画像形成部１０の前面側には，手差し給紙用の挿入口９３が設けられている。
【００１７】
また，本形態のプリンタ１００は，図２に示すように，ネットワーク４００に接続されている。ネットワーク４００には，プリンタ１００の他，パーソナルコンピュータ（ＰＣ）２００が接続されている。そして，ＰＣ２００からプリンタ１００に対して印刷要求が出力され，プリンタ１００はその印刷要求を受け付けて印刷処理を行う。なお，ネットワーク４００には，これらの他にも情報処理機器（ＰＣなど）が接続されており，プリンタ１００はそれら情報処理機器からの印刷要求を受け付けて印刷を行うことができる。また，情報処理機器は，ネットワーク４００を介さず，直接プリンタ１００に接続することもできる。
【００１８】
［プリンタの画像形成部の構成］
画像形成部１０は，周知の電子写真方式によって画像を形成するものであり，図３に示すように，画像を形成するプロセス部５０と，未定着のトナー像を定着させる定着装置８と，画像形成前の用紙を載置する給紙カセット９０，９１（給紙部の一例）と，画像形成後の用紙を載置する排紙トレイ９２とを備えている。
【００１９】
画像形成部１０内には，底部に位置する給紙カセット９０ないし給紙カセット９１に収容された用紙が，給紙ローラ７２ないし給紙ローラ７３，プロセス部５０，定着装置８を通り，排紙ローラ７４を介して上部の排紙トレイ９２への導かれるように，略Ｓ字形状の搬送経路７１が設けられている。すなわち，画像形成部１０は，給紙カセット９０ないし給紙カセット９１に載置されている用紙を１枚ずつ取り出し，その用紙をプロセス部５０に搬送し，プロセス部５０にて形成されたトナー像をその用紙に転写する。さらに，トナー像が転写された用紙を定着装置８に搬送し，トナー像をその用紙に熱定着させる。そして，定着後の用紙を排紙トレイ９２に排出する。
【００２０】
プロセス部５０は，感光体ドラム１と，感光体ドラム１の表面を一様に帯電する帯電装置２と，感光体ドラム１の表面に光を照射して静電潜像を形成する露光装置３と，静電潜像に対してトナーによる現像を行う現像装置４と，感光体ドラム１上のトナー像を用紙に転写させる転写装置５と，感光体ドラム１上の残留トナーを除去するクリーニングブレード６とを有している。感光体ドラム１，帯電装置２，現像装置４，およびクリーニングブレード６は，プロセスカートリッジとして構成され，装置本体に対して着脱可能になっている。
【００２１】
プロセス部５０では，感光体ドラム１の表面が帯電装置２によって一様に帯電される。その後，露光装置３からの光により露光され，用紙に形成すべき画像の静電潜像が形成される。次いで，現像装置４を介して，トナーが感光体ドラム１に供給される。これにより，感光体ドラム１上の静電潜像は，トナー像として可視像化される。
【００２２】
また，画像形成部１０内には，ユーザによって側面（挿入口）から挿入された用紙が，搬入ローラ７５，プロセス部５０，定着装置８を通り，排紙ローラ７４を介して上部の排紙トレイ９２への導かれる手差し給紙用の搬送経路が設けられている。すなわち，本形態のプリンタ１００では，給紙トレイとして，給紙カセット９０，９１および手差しの３つの選択肢がある。
【００２３】
［プリンタの電気的構成］
続いて，プリンタ１００の電気的構成について説明する。プリンタ１００は，図４に示すように，ＣＰＵ３１と，ＲＯＭ３２と，ＲＡＭ３３と，ＮＶＲＡＭ３４と，ＡＳＩＣ３５と，ネットワークインタフェース３６と，ＵＳＢインタフェース３７とを備えた制御装置３０を有している。
【００２４】
ＲＯＭ３２には，プリンタ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。
【００２５】
ＡＳＩＣ３５は，プロセス部５０，スキャナ部２０，表示部４１，ボタン群４２等と電気的に接続されている。ＣＰＵ３１は，ＲＯＭ３２から読み出した制御プログラムに従って，その処理結果をＲＡＭ３３またはＮＶＲＡＭ３４に記憶させながら，ＡＳＩＣ３５を介してプリンタ１００の各構成要素（例えば，搬送路７１を構成する各種ローラの駆動モータ（不図示）やスキャナ部２０を構成するイメージセンサユニットの移動用モータ（不図示））を制御する。
【００２６】
ネットワークインタフェース３６ないしＵＳＢインタフェース３７には，情報機器が接続され，このネットワークインタフェース３６を介して相互のデータ通信が可能になっている。
【００２７】
［手動両面印刷の手順］
続いて，手動両面印刷の処理手順を，ＰＣ２００側の処理とプリンタ１００側の処理とに分けて説明する。なお，以下の説明では，両面印刷される用紙のうち，便宜上，最初に印刷される面を「表面」とし，再セット後に印刷される面を「裏面」として説明する。
【００２８】
［ＰＣ側の処理］
［印刷要求処理］
始めに，ＰＣ２００の印刷要求処理について，図５のフローチャートを参照しつつ説明する。本処理は，ＰＣ２００に組み込まれているアプリケーション等を介して印刷が指示された際に実行される。
【００２９】
まず，処理対象の印刷ジョブについて，手動両面印刷が設定されているか否かを判断する（Ｓ１０１）。ユーザは，印刷を指示する際に，手動両面印刷を設定することができる。手動両面印刷の設定は，例えば図６に示すような設定ダイアログ６０によって行う。設定ダイアログ６０では，手動両面印刷を行うか否かを設定するチェックボックス６１のほか，手動両面印刷を行うための必要事項として，パスワード（開錠データの一例）の設定（設定欄６２）と給紙トレイの選択（設定欄６３）を行うことができる。すなわち，手動両面印刷が設定された印刷ジョブには，パスワードと給紙トレイの設定が含まれる。
【００３０】
手動両面印刷が設定されていない場合には（Ｓ１０１：ＮＯ），通常の印刷要求を行う（Ｓ１１１）。すなわち，プリンタ１００に対して印刷データとともに各種の設定（指定トレイ，用紙サイズ，印刷方向，印刷品質等）を送信する。印刷要求後は，本処理を終了する。
【００３１】
一方，手動両面印刷が設定されている場合には（Ｓ１０１：ＹＥＳ），印刷データをページ単位でファイル化する（Ｓ１０２）。次に，総ページ数が１であるか否かを確認する（Ｓ１０３）。総ページ数が１であれば（Ｓ１０３：ＹＥＳ），表面のみの印刷で済み，裏面の印刷が不要である。そのため，１ページ目の印刷データを通常印刷要求と同様に送信し（Ｓ１０４），本処理を終了する。総ページ数が１でなければ（Ｓ１０３：ＮＯ），裏面の印刷が必要となる。そこで，Ｓ１２１の手動両面印刷用の印刷要求を行う。
【００３２】
［手動両面印刷要求処理］
図７に，Ｓ１２１の手動両面印刷用の印刷要求の処理手順を示す。まず，ＰＣ２００のディスプレイに，裏面を印刷する際の，用紙のセット方向を指示する用紙方向指示画面を表示する（Ｓ２０１）。本形態では，フェースダウンで排紙される。そして，例えば給紙カセット９０，９１であり，短辺綴じの両面印刷の場合，トレイの手前から給紙され，セットした時点での下面に印刷される。そのため，用紙の再セットの際，印字済みの面を上側に，さらに印字面の上側がトレイの手前側となるように指示する。なお，用紙の配置は，装置の用紙搬送構成と，綴じ位置（短辺綴じまたは長辺綴じ）に関する設定とによって異なり，選択された給紙トレイに合わせて適切な指示を表示する。
【００３３】
次に，表面の印刷ジョブを送信する。具体的には，ジョブの開始命令をプリンタ１００に対して送信する（Ｓ２０２）。そして，ファイル化した印刷データの中から，偶数ページの印刷データを逆順に抽出して送信する（Ｓ２０３）。そして，ジョブの終了命令を送信する（Ｓ２０４）。
【００３４】
次に，裏面の印刷ジョブを，表面の印刷ジョブに続けて送信する。具体的には，ジョブの開始命令をプリンタ１００に対して送信する（Ｓ２０５）。そして，パスワードを含むセキュア情報を送信する（Ｓ２０６）。そして，ファイル化した印刷データの中から，奇数ページの印刷データを正順に抽出して送信する（Ｓ２０７）。そして，ジョブの終了命令を送信する（Ｓ２０８）。
【００３５】
次に，奇数ページの印刷が終了したか否かを判断する（Ｓ２０９）。すなわち，裏面の印刷ジョブが終了したか否かを判断する。奇数ページの印刷が終了していない場合には（Ｓ２０９：ＮＯ），用紙方向指示画面を消去する指示が入力されたか否かを判断する（Ｓ２１０）。用紙方向指示画面を消去する指示は，例えば当該画面中の消去指示が割り付けられたボタンの押下によって行われる。消去指示が入力されていなければ（Ｓ２１０：ＮＯ），Ｓ２０９の処理に戻って奇数ページの印刷終了を待つ。
【００３６】
奇数ページの印刷が終了した場合（Ｓ２０９：ＹＥＳ），あるいは消去指示が入力された場合には（Ｓ２１０：ＹＥＳ），Ｓ２０１の処理で表示した用紙方向指示画面を消去し（Ｓ２１１），本処理を終了する。
【００３７】
すなわち，ＰＣ側の手動両面印刷の処理としては，表面の印刷ジョブは，偶数ページの印刷ジョブを降順にして，通常印刷の印刷ジョブとして印刷要求を行う。そして，裏面のジョブは，奇数ページの印刷ジョブを昇順にして，セキュア情報が付された印刷ジョブ（セキュア印刷ジョブ）として印刷要求を行う。セキュア印刷ジョブは，開錠データ（本形態ではパスワード）によって印刷が許可される印刷であり，開錠データが入力されるまでは印刷ジョブは待機状態になる。つまり，本形態の裏面の印刷ジョブは，給紙トレイが指定されたセキュア印刷ジョブになる。
【００３８】
［プリンタ側の処理］
［印刷ジョブ受信処理］
続いて，プリンタ１００の印刷ジョブ受信処理（受付手段，制限手段の一例）について，図８のフローチャートを参照しつつ説明する。本処理は，ＰＣ２００等から出力されるジョブの開始命令を受信した際に実行される。
【００３９】
まず，印刷ジョブに対応付けられた各種データを受信する（Ｓ３０１）。受信するデータには，印刷データや設定情報（用紙サイズ，指定トレイ，手動両面印刷の設定等）が含まれる。
【００４０】
次に，印刷ジョブで指定された給紙トレイ（指定トレイ）が制限中であるか否かを判断する（Ｓ３０２）。プリンタ１００では，後述する制限処理（図９のＳ４０３）によって特定の給紙トレイの利用が制限される。そこで，受信した印刷ジョブの指定トレイが制限処理の対象となっているか否かを判断する。
【００４１】
指定トレイが制限中であれば（Ｓ３０２：ＹＥＳ），当該印刷ジョブの印刷を行うことができない。そこで，当該印刷ジョブのデータを，印刷優先順位が最も低い末尾の待機データとしてＲＡＭ３３あるいはＮＶＲＡＭ３４に記憶し（Ｓ３１１），本処理を終了する。
【００４２】
一方，指定トレイが制限中でなければ（Ｓ３０２：ＮＯ），受信した印刷ジョブがセキュア印刷ジョブであるか否かを判断する（Ｓ３０３）。セキュア印刷ジョブであれば（Ｓ３０３：ＹＥＳ），当該セキュア印刷ジョブのデータを，印刷優先順位が最も高い先頭の待機データとしてＲＡＭ３３あるいはＮＶＲＡＭ３４に記憶する（Ｓ３２１）。そして，セキュア印刷ジョブを受信したことを報知し（Ｓ３２２），本処理を終了する。報知方法としては，例えば表示部４１への表示や警告音の発音がある。一方，セキュア印刷ジョブでなければ（Ｓ３０３：ＮＯ），通常の印刷処理を行い（Ｓ３０４），本処理を終了する。
【００４３】
［セキュア印刷処理］
続いて，プリンタ１００のセキュア印刷処理（入力手段，印刷手段，制限手段，指示手段の一例）について，図９のフローチャートを参照しつつ説明する。本処理は，セキュア印刷ジョブを受信した際に実行される。
【００４４】
まず，図１０に示すようなパスワードの入力画面を表示部４１に表示し，パスワードの入力を受け付ける（Ｓ４０１）。そして，パスワードが一致するか否かを判断する（Ｓ４０２）。パスワードが一致しなかった場合には（Ｓ４０２：ＮＯ），パスワードが一致しない旨のエラー表示を行い（Ｓ４１１），本処理を終了する。なお，パスワードの入力は，１回のみであってもよいし，複数回のリトライが可能であってもよい。
【００４５】
パスワードが一致した場合には（Ｓ４０２：ＹＥＳ），他の印刷ジョブによる当該セキュア印刷ジョブの指定トレイの利用を制限する制限モードに移行する（Ｓ４０３）。これにより，制限モードが解除されるまでの間，その指定トレイについて他の印刷ジョブからの利用ができなくなる。
【００４６】
制限モードに移行後，図１１に示すような用紙の入れ替え指示を報知するとともに裏面の印刷開始指示の入力を受け付ける印刷再開指示画面を表示部４１に表示する（Ｓ４０４）。すなわち，表面に所望の画像が印刷された用紙（以下，「所望用紙」とする）を，指定トレイにセットすることを報知する。また，本形態では，ボタン群４２のうち，スタートキーを印刷再開の指示トリガとし，ストップキーを印刷中止の指示トリガとして，いずれか一方のボタンの入力を受け付ける（Ｓ４０５，Ｓ４０６）。
【００４７】
スタートキーが押下された場合には（Ｓ４０６：ＹＥＳ），先頭に待機する印刷データ，すなわちＳ３２１の処理で記憶されたセキュア印刷ジョブの印刷データを印刷する（Ｓ４０７）。これにより，所望用紙の裏面に所望の画像が印刷される。Ｓ４０７の処理後あるいはストップキーが押下された場合（Ｓ４０５：ＹＥＳ）には，制限モードを解除する（Ｓ４０８）。これにより，指定トレイでの印刷が可能になる。
【００４８】
次に，待機データがあるか否かを判断する（Ｓ４０９）。すなわち，制限モード中に受信し，待機状態になった印刷ジョブがあるか否かを判断する。待機データがある場合には（Ｓ４０９：ＹＥＳ），待機データを印刷する（Ｓ４１０）。これにより，待機データとなった印刷ジョブがセキュア印刷ジョブに続いてすべて印刷される。Ｓ４１０の処理後あるいは待機データがない場合（Ｓ４０９：ＮＯ）には，本処理を終了する。
【００４９】
すなわち，本形態では，手動両面印刷を行う際，ＰＣ２００側にて，表面を通常の印刷ジョブで印刷要求し，その表面の印刷ジョブに続いて裏面をセキュア印刷ジョブで印刷要求する。そして，プリンタ１００側では，表面の印刷ジョブを実行した後，裏面のセキュア印刷ジョブのパスワード入力待ちとなる。このとき，パスワードを知らない他のユーザは，裏面の印刷ジョブを実行できない。パスワード入力後は，制限モードに移行し，指定トレイが設定された他の印刷ジョブを待機状態にする。そして，所望用紙を指定トレイにセットし，その所望用紙に印刷する。これにより，所望用紙への印刷が確実に行われ，両面印刷の所望の印刷物が確実に得られる。
【００５０】
なお，本形態では，指定トレイが制限中でなければ，通常通りに印刷可能である。つまり，セキュア印刷ジョブによって特定のトレイの利用が制限されていたとしても，他のトレイによってセキュア印刷ジョブの追い越し（いわゆる追い越し印刷）が可能である。そのため，手動両面印刷を要求したユーザのプリンタ１００の専有状態が回避され，他のユーザが不便にならない。
【００５１】
また，本形態では，裏面の印刷のみについてセキュア印刷を行っているが，表面の印刷についてもセキュア印刷を行ってもよい。このように表面についてもパスワードの入力を要求することで，表面を印刷する際にも他人に印刷物を見られる可能性を減らすことができる。なお，表面の印刷をセキュア印刷とするには，図１２に示すように表面のジョブ開始命令の送信後に，Ｓ２５１の処理として表面のセキュア情報を送信することによって実現できる。このとき，Ｓ２５１の処理で送信される表面のセキュア印刷ジョブのパスワードを，Ｓ２０６の処理で送信される裏面のセキュア印刷ジョブのパスワードと同じにする。これにより，パスワードの入力の手間を減らすことができる。また，パスワードを共通にすることで，ユーザがパスワードを忘れてしまうことや表面のパスワードと裏面のパスワードとを入れ違いに記憶してしまうような人為的ミスを低減できる。なお，図１２は，図７の応用例であり，同様の処理については同じステップ番号を付してある。
【００５２】
［第２の形態］
続いて，第２の形態として，給紙トレイが１つだけのプリンタについて説明する。本形態のプリンタは，給紙トレイが１つしかなく，その給紙トレイ以外の給紙トレイは指定されない。そのため，他の印刷ジョブの追い越し印刷を許可すると，同一給紙トレイから給紙されることになり，所望用紙への印刷が保証されない。そこで，追い越し印刷をさせない処理を行う。この点，複数の給紙トレイを備え，追い越し印刷を許可する第１の形態とは異なる。なお，ＰＣ側の処理は，第１の形態と同じであるため，説明を省略する。
【００５３】
［プリンタ側の処理］
［印刷ジョブ受信処理］
始めに，印刷ジョブ受信処理について，図１３のフローチャートを参照しつつ説明する。第１の形態と同様の処理については，第１の形態と同様の符号を付している。
【００５４】
本形態の印刷ジョブ受信処理では，印刷ジョブに対応付けられた各種データを受信（Ｓ３０１）した後に，セキュア印刷ジョブが保存されているか否かを判断する（Ｓ３３１）。すなわち，本形態では追い越し印刷を行わないため，セキュア印刷ジョブが保存中であれば，そのセキュア印刷ジョブが印刷されるまで他の印刷ジョブの印刷を制限する。そこで，セキュア印刷ジョブが保存されていた場合には（Ｓ３３１：ＹＥＳ），当該印刷ジョブのデータを末尾の待機データとして記憶する（Ｓ３１１）。
【００５５】
一方，セキュア印刷ジョブが保存されていなければ（Ｓ３３１：ＮＯ），受信した印刷ジョブがセキュア印刷ジョブであるか否かを判断し（Ｓ３０３），セキュア印刷ジョブであれば（Ｓ３０３：ＹＥＳ），当該セキュア印刷ジョブのデータを先頭の待機データとして記憶する（Ｓ３２１）。一方，セキュア印刷ジョブでなければ（Ｓ３０３：ＮＯ），通常の印刷処理を行う（Ｓ３０４）。
【００５６】
［セキュア印刷処理］
続いて，セキュア印刷処理について，図１４のフローチャートを参照しつつ説明する。なお，第１の形態と同様の処理については，第１の形態と同様の符号を付している。本形態では，制限モードへの移行処理および解除処理がない点およびパスワードの一致がセキュア印刷ジョブの印刷開始のトリガである点が，第１の形態と異なる。
【００５７】
まず，用紙の入れ替え指示を報知する（Ｓ４２１）。そして，パスワードの入力を受け付け（Ｓ４０１），パスワードが一致した場合には（Ｓ４０２：ＹＥＳ），先頭に待機する印刷データ，すなわちＳ３２１の処理で記憶されたセキュア印刷ジョブの印刷データを印刷する（Ｓ４０７）。これにより，所望用紙の裏面に所望の画像が印刷される。その後，待機データあるか否かを判断し（Ｓ４０９），待機データがあれば（Ｓ４０９：ＹＥＳ），待機データを印刷し（Ｓ４１０），本処理を終了する。
【００５８】
すなわち，本形態では，セキュア印刷ジョブが保存中の間は，すべての印刷ジョブを待機状態にする。そのため，特定の給紙トレイの利用を制限する制限モードへの移行処理および解除処理は必要ない。そして，表面の印刷ジョブを実行した後，裏面のセキュア印刷ジョブのパスワード入力待ちとなる。ユーザは，所望用紙を指定トレイにセットし直し，パスワードを入力する。プリンタは，パスワードの照合後，その所望用紙に印刷する。これにより，両面印刷の印刷物が確実に得られ，セキュア印刷後は通常の印刷処理が可能になる。
【００５９】
なお，プリンタの給紙トレイの数に限らず，本形態のようにセキュア印刷ジョブを受け付けた後の他のジョブをすべて待機状態とすることで，次のような利点がある。すなわち，手動両面印刷の途中（具体的には，先行ジョブと後続ジョブとの間）で他の印刷ジョブが追い越し印刷されると，どの印刷物が手動両面印刷の対象なのかが判り難い。また，後続ジョブ前の他のジョブが長時間実行することになると，後続ジョブの実行を待たされる。そこで，少なくともセキュア印刷ジョブを受け付けてからセキュア印刷ジョブの印刷開始が指示されるまでの期間は他の印刷ジョブを待機状態にすることで，それらを回避することができる。つまり，手動両面印刷を要求したユーザにとって利便性が高い。
【００６０】
以上詳細に説明したようにプリンタ１００では，セキュア印刷ジョブのデータを受け付けている期間において，他の印刷ジョブの指定トレイからの利用を制限している。これにより，他の印刷ジョブは，その期間中，指定トレイにセットされている用紙の利用ができない。また，セキュア印刷ジョブは，パスワードが入力されることで印刷を開始する。そのため，待機状態となっているセキュア印刷ジョブについて，他のユーザによる印刷実行を回避できる。よって，指定トレイにセットした用紙を他人に利用されることを回避でき，所望の用紙に確実に印刷することができる。
【００６１】
また，実施の形態の手動両面印刷では，表面の印刷後，裏面の印刷ジョブが待機状態になる。そのため，用紙を裏返す時間が得られる。これにより，１回の印刷指示で表面の印刷ジョブと裏面の印刷ジョブとを連続して要求しても，裏面の印刷までに，裏返した用紙をセットすることで適切な印刷物が得られる。よって，ユーザの印刷指示回数が１回で済み，処理途中でＰＣ２００まで戻って操作する必要がない。
【００６２】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複合機，コピー機等，印刷機能を備えるものであれば適用可能である。また，画像形成部の画像形成方式は，電子写真方式に限らず，インクジェット方式であってもよい。また，カラー画像の形成が可能であっても，モノクロ画像専用であってもよい。
【００６３】
また，第１の形態では，複数の給紙トレイを備える場合に，追い越し印刷を許可する構成であるが，複数の給紙トレイを備える場合であっても第２の形態のように追い越し印刷を許可しない構成であってもよい。また，制限モードによる特定の給紙トレイのみの制限とすべての給紙トレイの制限との両方を可能とし，ユーザに選択させてもよい。これにより，ユーザの使い勝手が向上する。
【００６４】
また，実施の形態では，パスワードが開錠データとなって開錠を行っているが，開錠方法はパスワードに限るものではない。例えば，ＲＦＩＤ通信によって手入力なしに開錠を行ってもよい。
【００６５】
また，実施の形態では，制限モード中に指定トレイに印刷要求した印刷ジョブを待機状態にしているが，印刷ジョブの実行を制限する方法としてはこれに限るものではない。例えば，当該印刷ジョブの受け付けを拒否し，拒否した旨を印刷要求したＰＣに応答するとしてもよい。
【００６６】
また，本発明は，手動両面印刷に限るものではない。例えば，特定の情報が表面に印刷された用紙に，その情報と関連付けられた情報を同用紙の表面に重ねて印刷する場合や，特殊あるいは専用の用紙に印刷する場合に適用可能である。すなわち，両面印刷機能を備えていない印刷装置であっても本発明は有効である。
【図面の簡単な説明】
【００６７】
【図１】第１の形態（給紙トレイ複数）にかかるプリンタの概略構成を示す斜視図である。
【図２】プリンタとＰＣとの接続構成を示す図である。
【図３】プリンタの画像形成部の概略構成を示す概念図である。
【図４】プリンタの電気的構成を示すブロック図である。
【図５】ＰＣ側の印刷要求の手順を示すフローチャートである。
【図６】手動両面印刷の設定ダイアログの一例を示す図である。
【図７】ＰＣ側の手動両面印刷要求の手順を示すフローチャートである。
【図８】プリンタ側のジョブ受信処理の手順を示すフローチャートである。
【図９】プリンタ側のセキュア印刷処理の手順を示すフローチャートである。
【図１０】プリンタ側のパスワード入力画面の一例を示す図である。
【図１１】プリンタ側の印刷再開指示画面の一例を示す図である。
【図１２】応用例（両面セキュア印刷）のＰＣ側の手動両面印刷要求の手順を示すフローチャートである。
【図１３】第２の形態（給紙トレイ１つ）にかかるプリンタ側のジョブ受信処理の手順を示すフローチャートである。
【図１４】第２の形態（給紙トレイ１つ）にかかるプリンタ側のセキュア印刷処理の手順を示すフローチャートである。
【符号の説明】
【００６８】
１０          画像形成部
２０          スキャナ部
３０          制御部
４１          表示部
４２          ボタン群
５０          プロセス部
９０，９１    給紙トレイ
１００        プリンタ
２００        ＰＣ
【図１】
2010036516.tif 000003
【図２】
2010036516.tif 000004
【図３】
2010036516.tif 000005
【図４】
2010036516.tif 000006
【図５】
2010036516.tif 000007
【図６】
2010036516.tif 000008
【図７】
2010036516.tif 000009
【図８】
2010036516.tif 000010
【図９】
2010036516.tif 000011
【図１０】
2010036516.tif 000012
【図１１】
2010036516.tif 000013
【図１２】
2010036516.tif 000014
【図１３】
2010036516.tif 000015
【図１４】
2010036516.tif 000016